(57)【特許請求の範囲】
【請求項１】
撮影画像記録領域および付加情報記録領域を有する記録媒体をカメラに装着する前に、この記録媒体の前記付加情報記録領域に付加情報を書込みおよび読出し可能なデータとして記録した後、この記録媒体を前記カメラに装着して、被写体を撮影して前記記録媒体の前記撮影画像記録領域に前記被写体の画像を記録し、前記記録媒体の前記撮影画像記録領域に記録された前記被写体の画像をプリントする際に、前記付加情報記録領域に記録された前記付加情報を読み出し、読み出された前記付加情報を、プリントの表面および裏面の少なくとも一方に自動的または選択的に記録することを特徴とするプリント方法。
【請求項２】
前記記録媒体が、前記撮影画像記録領域として撮影画像の画像データ領域および前記付加情報記録領域を有し、前記カメラおよび／または付加情報記録手段によって各領域のアドレスを認識する情報が付加され、あるいは各領域のアドレスを認識する情報が固定的に備えられ、前記カメラに装着・取外し可能な記録媒体である請求項１に記載のプリント方法。
【請求項３】
前記記録媒体は、前記撮影画像記録領域としての写真フィルムを収納するケースに前記付加情報記録領域としてのＩＣメモリを装着してなり、前記カメラに装着・取外し可能なフィルムカートリッジである請求項１に記載のプリント方法。
【請求項４】
前記付加情報は、撮影場所に関する情報、撮影対象に関する情報、娯楽情報の少なくとも１つである請求項１〜３のいずれかに記載のプリント方法。
【請求項５】
前記付加情報は、撮影に先立って、プリント業者によって、前記記録媒体の前記付加情報記録領域に記録される請求項１〜４のいずれかに記載のプリント方法。
【請求項６】
前記カメラは、装填された前記記録媒体への前記付加情報の読出手段および記録手段を有し、
前記付加情報は、前記記録媒体を装填した前記カメラの前記読出手段によって前記付加情報記録領域から読み出し再生されるか、かつ／または前記記録手段によって前記付加情報記録領域に記録されることを特徴とする請求項１〜５のいずれかに記載のプリント方法。
【請求項７】
撮影画像の画像データ領域および付加情報領域を有し、各領域のアドレスを認識する情報が付加されあるいは各領域のアドレスを認識する情報が固定的に備えられている記録媒体が装着されたカメラで付加情報を受信し、受信した前記付加情報を前記記録媒体の前記付加情報領域に書込みおよび読出し可能なデータとして記録した後、前記カメラで被写体を撮影して前記画像データ領域に前記被写体の画像を記録し、前記記録媒体の前記画像データ領域に記録された前記被写体の画像をプリントする際に、前記付加情報領域に記録された前記付加情報を読み出し、読み出された前記付加情報を、プリントの表面および裏面の少なくとも一方に自動的または選択的に記録することを特徴とするプリント方法。
【請求項８】
撮影画像記録領域および付加情報記録領域を有する記録媒体と、
前記記録媒体の前記付加情報記録領域に付加情報を書込みおよび読出し可能なデータとして記録する付加情報記録手段と、
前記付加情報記録手段によって前記付加情報が記録された前記記録媒体を装着して撮影された被写体の画像を、前記記録媒体の前記撮影画像記録領域に記録するカメラと、
前記記録媒体の前記撮影画像記録領域に記録された前記被写体の画像をプリントする際に、前記付加情報記録領域に記録された前記付加情報を読み出し、読み出された前記付加情報を、プリントの表面および裏面の少なくとも一方に自動的または選択的に記録するプリンタとを有することを特徴とするプリントシステム。
【請求項９】
前記記録媒体が、その記憶領域内に、前記撮影画像記録領域としての撮影画像の画像データ領域、および、前記付加情報記録領域としての付加情報領域の各領域を有し、前記カメラおよび／または前記付加情報記録手段によって各領域のアドレスを認識する情報が付加され、あるいは各領域のアドレスを認識する情報が固定的に備えられ、前記カメラに装着・取外し可能な記録媒体である請求項８に記載のプリントシステム。
【請求項１０】
前記記録媒体は、前記撮影画像記録領域としての写真フィルムを収納するケースに前記付加情報記録領域としてのＩＣメモリを装着してなり、前記カメラに装着・取外し可能なフィルムカートリッジである請求項８に記載のプリントシステム。
【請求項１１】
前記付加情報は、撮影場所に関する情報、撮影対象に関する情報、娯楽情報の少なくとも１つである請求項８〜１０のいずれかに記載のプリントシステム。
【請求項１２】
前記付加情報は、撮影に先立って、プリント業者によって、前記記録媒体の前記付加情報記録領域に記録される請求項８〜１１のいずれかに記載のプリントシステム。
【請求項１３】
前記カメラは、装填された前記記録媒体への前記付加情報の読出手段および記録手段を有し、
前記付加情報は、前記記録媒体を装填した前記カメラの前記読出手段によって前記付加情報記録領域から読み出し再生され、かつ／または前記記録手段によって前記付加情報記録領域に記録されることを特徴とする請求項８〜１２のいずれかに記載のプリントシステム。
【請求項１４】
撮影画像の画像データ領域および付加情報領域を有し、各領域のアドレスを認識する情報が付加されあるいは各領域のアドレスを認識する情報が固定的に備えられている記録媒体と、
付加情報を受信し、受信した前記付加情報を装着された前記記録媒体の前記付加情報領域に書込みおよび読出し可能なデータとして記録する記録手段を備え、装着され、前記記録手段によって前記付加情報が記録された前記記録媒体の前記画像データ領域に、撮影された被写体の画像を記録するカメラと、
前記記録媒体の前記画像データ領域に記録された前記被写体の画像をプリントする際に、前記付加情報領域に記録された前記付加情報を読み出し、読み出された前記付加情報を、プリントの表面および裏面の少なくとも一方に自動的または選択的に記録するプリンタとを有することを特徴とするプリントシステム。
【請求項１５】
撮影画像記録領域および付加情報記録領域を有し、前記付加情報記録領域に付加情報が記録された記録媒体が装着され、前記記録媒体の前記撮影画像記録領域に撮影された被写体の画像を記録するカメラであって、
前記付加情報として、少なくとも、撮影場所または撮影対象の位置情報が記録されており、
ＧＰＳを内蔵し、前記撮影場所または前記撮影対象の撮影に適した特定ポイントに接近した際に、前記特定ポイントに接近したことを前記ＧＰＳによって検出して、前記撮影場所または前記撮影対象の前記付加情報を自動的に再生するカメラ。
【請求項１６】
撮影画像記録領域および付加情報記録領域を有し、前記付加情報記録領域に付加情報が記録された記録媒体が装着され、前記記録媒体の前記撮影画像記録領域に撮影された被写体の画像を記録するカメラであって、
前記付加情報として、少なくとも被写体の情報が記録されており、
前記カメラが向いている被写体を読み取るイメージセンサを有し、前記イメージセンサが読み取った被写体を認識し、前記イメージセンサが読み取った被写体の前記付加情報を自動的に再生するカメラ。
【発明の詳細な説明】
【０００１】
【発明の属する技術分野】
本発明は、プリント方法およびプリントシステムならびにカメラの技術分野に属し、詳しくは、ＩＣメモリやフロッピーディスク等の記憶媒体の所定領域等を利用して、付加価値の高いプリントを出力することを可能にしたプリント方法およびプリントシステムならびにカメラに関する。
【０００２】
【従来の技術】
旅行や各種のイベントの記念や記録に写真プリントが利用されている。また、近年では、デジタル（スチル）カメラも広く普及しつつある。
得られるプリントの画質の点では、写真の方が有利であるものの、デジタルカメラによって撮影した画像は、パーソナルコンピュータ等によって、画像や文字の合成、色濃度調整や変倍処理等の加工を容易に行うことができ、用途に応じて、趣味性や付加価値の高いプリントを作成できる点で有利である。
【０００３】
一方で、より付加価値の高い写真プリントが作成できるシステムとして、いわゆる新写真システム（Ａｄｖａｎｃｅｄ  Ｐｈｏｔｏ  Ｓｙｓｔｅｍ）が実用化された。
周知の用に、この新写真システムは、フィルムの撮影領域外に磁気記録媒体を形成し、此処に、フィルムの種類、撮影時のストロボ発光の有無等の撮影情報、ＣタイプやＨタイプ等のプリントフォーマット、撮影日や撮影時間、タイトル等の各種の情報を記録することができる。
【０００４】
新写真システムでは、この磁気情報を利用することにより、フィルムの種類や撮影情報に応じたフィルムの現像や、プリント（印画紙）の焼付・現像処理を行って、より高画質の写真プリントを作成することを可能にしている。
さらに、新写真システムによれば、１３５サイズのフィルム等を用いた通常の写真では不可能あるいは困難であった、撮影後のプリントフォーマットの変更、プリント表裏面を任意に選択しての高画質な撮影日時の記録、プリント表裏面を任意に選択してのタイトルの記録等を行うことができ、従来に比して、より高品位で付加価値の高いプリントを出力することができる。
【０００５】
しかしながら、ユーザの好みの多様化により、近年では、写真プリントであってもデジタルカメラ等からのプリントであっても、より付加価値の高いプリントが出力できるプリントシステムの出現が望まれている。
【０００６】
【発明が解決しようとする課題】
本発明の目的は、ＩＣメモリやフロッピーディスク等の記憶媒体を有効に利用することにより、写真撮影（デジタルカメラ等の撮像デバイスも含む）の操作性、趣味性、娯楽性、用途、付加価値等をより高め、かつ、趣味性や娯楽性に優れた、より付加価値の高いプリントを作成することができるプリント方法およびプリントシステムならびにカメラを提供することにある。
【０００７】
【課題を解決するための手段】
前記目的を達成するために、本発明は、撮影画像記録領域および付加情報記録領域を有する記録媒体をカメラに装着する前に、この記録媒体の前記付加情報記録領域に付加情報を書込みおよび読出し可能なデータとして記録した後、この記録媒体を前記カメラに装着して、被写体を撮影して前記記録媒体の前記撮影画像記録領域に前記被写体の画像を記録し、前記記録媒体の前記撮影画像記録領域に記録された前記被写体の画像をプリントする際に、前記付加情報記録領域に記録された前記付加情報を読み出し、読み出された前記付加情報を、プリントの表面および裏面の少なくとも一方に自動的または選択的に記録することを特徴とするプリント方法を提供するものである。
【０００８】
ここで、前記記録媒体が、前記撮影画像記録領域として撮影画像の画像データ領域および前記付加情報記録領域を有し、前記カメラおよび／または付加情報記録手段によって各領域のアドレスを認識する情報が付加され、あるいは各領域のアドレスを認識する情報が固定的に備えられ、前記カメラに装着・取外し可能な記録媒体であるのが好ましく、あるいは、前記撮影画像記録領域としての写真フィルムを収納するケースに前記付加情報記録領域としてのＩＣメモリを装着してなり、前記カメラに装着・取外し可能なフィルムカートリッジであるのが好ましく、また、前記付加情報は、撮影場所に関する情報、撮影対象に関する情報、娯楽情報の少なくとも１つであるのが好ましく、さらに、前記付加情報は、撮影に先立って、プリント業者によって、前記記録媒体の前記付加情報記録領域に記録されるのが好ましく、さらにまた、前記カメラは、装填された前記記録媒体への前記付加情報の読出手段および記録手段を有し、前記付加情報は、前記記録媒体を装填した前記カメラの前記読出手段によって前記付加情報記録領域から読み出し再生されるか、かつ／または前記記録手段によって前記付加情報記録領域に書き換えられるか、またはさらに記録されるのが好ましい。
また、本発明は、撮影画像の画像データ領域および付加情報領域を有し、各領域のアドレスを認識する情報が付加されあるいは各領域のアドレスを認識する情報が固定的に備えられている記録媒体が装着されたカメラで付加情報を受信し、受信した前記付加情報を前記記録媒体の前記付加情報領域に書込みおよび読出し可能なデータとして記録した後、前記カメラで被写体を撮影して前記画像データ領域に前記被写体の画像を記録し、前記記録媒体の前記画像データ領域に記録された前記被写体の画像をプリントする際に、前記付加情報領域に記録された前記付加情報を読み出し、読み出された前記付加情報を、プリントの表面および裏面の少なくとも一方に自動的または選択的に記録することを特徴とするプリント方法を提供するものである。
また、本発明は、撮影画像記録領域および付加情報記録領域を有する記録媒体と、前記記録媒体の前記付加情報記録領域に付加情報を書込みおよび読出し可能なデータとして記録する付加情報記録手段と、前記付加情報記録手段によって前記付加情報が記録された前記記録媒体を装着して撮影された被写体の画像を、前記記録媒体の前記撮影画像記録領域に記録するカメラと、前記記録媒体の前記撮影画像記録領域に記録された前記被写体の画像をプリントする際に、前記付加情報記録領域に記録された前記付加情報を読み出し、読み出された前記付加情報を、プリントの表面および裏面の少なくとも一方に自動的または選択的に記録するプリンタとを有することを特徴とするプリントシステムを提供するものである。ここで、前記記録媒体が、その記憶領域内に、前記撮影画像記録領域としての撮影画像の画像データ領域、および、前記付加情報記録領域としての付加情報領域の各領域を有し、前記カメラおよび／または前記付加情報記録手段によって各領域のアドレスを認識する情報が付加され、あるいは各領域のアドレスを認識する情報が固定的に備えられ、前記カメラに装着・取外し可能な記録媒体であるのが好ましく、あるいは、前記撮影画像記録領域としての写真フィルムを収納するケースに前記付加情報記録領域としてのＩＣメモリを装着してなり、前記カメラに装着・取外し可能なフィルムカートリッジであるのが好ましい。また、前記付加情報は、撮影場所に関する情報、撮影対象に関する情報、娯楽情報の少なくとも１つであるのが好ましく、さらに、前記付加情報は、撮影に先立って、プリント業者によって、前記記録媒体の前記付加情報記録領域に記録されるのが好ましく、さらにまた、前記カメラは、装填された前記記録媒体への前記付加情報の読出手段および記録手段を有し、前記付加情報は、前記記録媒体を装填した前記カメラの前記読出手段によって前記付加情報記録領域から読み出し再生され、かつ／または前記記録手段によって前記付加情報記録領域に書き換えられるか、またはさらに記録されるのが好ましい。
また、本発明は、撮影画像の画像データ領域および付加情報領域を有し、各領域のアドレスを認識する情報が付加されあるいは各領域のアドレスを認識する情報が固定的に備えられている記録媒体と、付加情報を受信し、受信した前記付加情報を装着された前記記録媒体の前記付加情報領域に書込みおよび読出し可能なデータとして記録する記録手段を備え、装着され、前記記録手段によって前記付加情報が記録された前記記録媒体の前記画像データ領域に、撮影された前記被写体の画像を記録するカメラと、前記記録媒体の前記画像データ領域に記録された前記被写体の画像をプリントする際に、前記付加情報領域に記録された前記付加情報を読み出し、読み出された前記付加情報を、プリントの表面および裏面の少なくとも一方に自動的または選択的に記録するプリンタとを有することを特徴とするプリントシステムを提供するものである。
また、本発明は、撮影画像記録領域および付加情報記録領域を有する記録媒体が装着され、あるいは、さらに、その各領域のアドレスを認識する情報が付加されあるいは各領域のアドレスを認識する情報が固定的に備えられている記録媒体が装着され、付加情報を受信し、受信した前記付加情報を装着された前記記録媒体の前記付加情報領域に書込みおよび読出し可能なデータとして記録する記録手段を備え、装着され、前記記録手段によって前記付加情報が記録された前記記録媒体の前記画像データ領域に、撮影された前記被写体の画像を記録することを特徴とするカメラを提供するものである。
また、本発明は、撮影画像記録領域および付加情報記録領域を有し、前記付加情報記録領域に付加情報が記録された記録媒体が装着され、前記記録媒体の前記撮影画像記録領域に記録するカメラであって、前記付加情報として、少なくとも、撮影場所または撮影対象の位置情報が記録されており、ＧＰＳ（グローバルポジショニングシステム）を内蔵し、前記撮影場所または前記撮影対象の撮影に適した特定ポイントに接近した際に、前記特定ポイントに接近したことを前記ＧＰＳによって検出して、前記撮影場所または前記撮影対象の前記付加情報を自動的に再生するカメラを提供するものである。
また、本発明は、撮影画像記録領域および付加情報記録領域を有し、前記付加情報記録領域に付加情報が記録された記録媒体が装着され、前記記録媒体の前記撮影画像記録領域に記録するカメラであって、前記付加情報として、少なくとも被写体の情報が記録されており、前記カメラが向いている被写体を読み取るイメージセンサを有し、前記イメージセンサが読み取った被写体を認識し、前記イメージセンサが読み取った被写体の前記付加情報を自動的に再生するカメラを提供するものである。
【０００９】
【発明の実施の形態】
以下、本発明のプリント方法およびプリントシステムならびにカメラについて、添付の図面に示される好適実施例を基に詳細に説明する。
【００１０】
図１に、本発明のプリント方法を実施する本発明のプリントシステムの一例の概念をブロック図で示す。
図示例のプリントシステム１０は、本発明を、写真フィルムを用いる写真プリントに利用した例であって、フィルムＦを収納するケース１２ａにＩＣメモリ１４を装着したフィルムカートリッジ１２（以下、カートリッジ１２とする）を用いるものであり、このカートリッジ１２と、プリント業者（いわゆるラボ店や写真店）１６が有している、ＩＣメモリ１４の記録読取手段１８およびフォトプリンタ２０と、ＩＣメモリ１４の記録読取手段２４を有するカメラ２２とを有して構成される。
【００１１】
プリント業者１６の記録読取手段１８は、カートリッジ１２のＩＣメモリ１４に記録された情報を読み取り、また、必要な情報をＩＣメモリ１４に記録するものである。
本態様においては、カートリッジ１２のフィルムＦへの撮影に先立ち、プリント業者１６が顧客（撮影者）による写真の撮影場所を聞き、顧客の希望に応じて、それに応じた情報をプリント業者１６のデータベース１９から読み出し、記録読取手段１８によってカートリッジ１２のＩＣメモリ１４に付加情報として記録する（矢印ａ参照）。
【００１２】
なお、データベース１９は、プリント業者１６が有するのに限定はされず、例えば、コンピュータ通信等の通信手段によってカートリッジ１２の製造メーカのデータベースにアクセスして付加情報を得る、いわゆるセンター方式であってもよい。
【００１３】
撮影場所に応じた情報には特に限定はなく、各種の情報が例示される。
例えば、顧客が観光旅行で写真を撮影する場合には、旅行先にある山の高さや建造物の建築年月日等、旅行先の名所や名跡、観光スポットに関連する情報を記録すればよい。また、顧客がテーマパークで撮影をする場合には、そのテーマパークのキャラクタやアトラクションに関する情報を記録すればよい。
あるいは、顧客が野球やサッカー等のスポーツ観戦でカートリッジ１２を利用する場合には、選手のプロフィール等の出場選手の情報や競技場の情報を記録すればよい。
なお、このような訪問先に応じた情報は、季節、月、正月やクリスマスなどのイベント等、時期的なものを加味したり組み合わせた情報であってもよい。
【００１４】
顧客は、ＩＣメモリ１４に情報が記録されたカートリッジ１２をプリント業者１６から受け取り、ＩＣメモリ１４に記録された情報を読み取り、また、必要な情報をＩＣメモリ１４に記録する記録読取手段２４、およびＩＣメモリ１４への入力手段２５を内蔵するカメラ２２に、このカートリッジ１２を装填し（矢印ｂ参照）、写真撮影を行なう。
【００１５】
このカメラ２２は、好ましい態様として、記録読取手段２４等に加え、記録読取手段２４が読み取った情報を表示する表示手段２６および同情報を音声として再生する再生手段２８の、少なくとも一方を有する。
なお、表示手段２６としては、液晶ディスプレイ等の公知の表示手段が各種利用可能であり、また、表示は、文字でも画像（静止画および／または動画）でも、その両者であってもよい。
【００１６】
従って、顧客は、必要に応じて、カメラ２２の記録読取手段２４や表示手段２６等を駆動することにより、撮影対象に応じた情報を得ることができる。
すなわち、本態様によれば、顧客による撮影場所（あるいは、その周辺）に対応したローカルな詳細情報を提供することができ、カメラの趣味性や娯楽性を大幅に向上することができる。しかも、顧客は撮影場所の情報を事前に得、また情報を得ながら撮影をすることができるので、撮影ポイントを好適に選択でき、撮影もれをなくす、あるいは大幅に減らすことができる。
【００１７】
また、顧客は、撮影と共に、必要に応じて、カメラ２２に表示および／または再生された付加情報の中から、写真プリントＰ（以下、プリントＰとする）に再生する付加情報を選択し、あるいはさらに、プリントＰでの付加情報の記録位置（表・裏面、上下等の位置）を、カメラ２２の入力手段２５によって入力し、カートリッジ１２のＩＣメモリ１４に記憶させる。
なお、この指示は、カートリッジ１２に撮影した画像のプリント作成依頼の際に、口頭や用紙記入でプリント業者に依頼してもよい。
【００１８】
ここで、本態様において、カメラ２２がＧＰＳ（Ｇｌｏｂａｌ  Ｐｏｓｉｔｉｏｎｉｎｇ  Ｓｙｓｔｅｍ）を内蔵するカメラである場合には、付加情報として、緯度や経度等の位置情報もＩＣメモリ１４に記録しておき、撮影に適した特定ポイントに顧客が近づいた際に、自動的に付加情報を表示手段２６に表示あるいは再生手段２８で再生して、撮影を促すようにしてもよい。
また、カメラ２２がＧＰＳを内蔵する態様においては、カメラ２２の位置や方向、撮影倍率から、被写体を検知して、そのデータをファインダや表示手段２６に表示し、あるいは、再生手段２８で再生してもよい。
【００１９】
カートリッジ１２のフィルムＦへの撮影を終了したら、顧客は、矢印ｃに示されるように、撮影済のカートリッジ１２をプリント業者に渡し、フォトプリンタ２０によるプリントＰの作成を依頼する。
【００２０】
図２に、フォトプリンタ２０のブロック図を示す。
図２に示されるフォトプリンタ２０は、フィルムＦに撮影された画像をＣＣＤセンサ等で光電的に読み取って、デジタルの画像データとし、この画像データの処理によって画像処理を行なって、出力用の画像データすなわち露光条件を得、得られた画像データに応じて変調した記録光によって感光材料（印画紙）を走査露光して画像を焼き付ける、デジタルフォトプリンタである。
なお、本発明のプリントシステムにおいては、プリントを作成するフォトプリンタは、図示例のようなデジタルフォトプリンタに限定はされず、フィルムＦの投影光によって感光材料を露光する、通常の直接露光によるフォトプリンタも好適に利用可能であるが、前記付加情報を、バックプリントのみならず、プリント表面に容易に合成できる等の点で、図示例のような、デジタルフォトプリンタが好適である。
【００２１】
フォトプリンタ２０は、基本的に、フィルムＦに撮影された画像を光電的に読み取るスキャナ４０と、読み取られた画像データの画像処理等を行う画像処理装置４２と、画像処理装置４２（以下、処理装置４２とする）から出力された画像データに応じて変調した光ビームで感光材料を露光し、現像処理してプリントＰとするプリンタ４４とを有して構成される。
また、処理装置４２には、様々な処理の選択や指示等を入力するためのキーボード４６ａおよびマウス４６ｂを有する操作系４６と、スキャナ１２で読み取られた画像や操作指示等を表示するディスプレイ４８が接続される。
【００２２】
スキャナ４０は、フィルムＦ等に撮影された画像を１コマずつ光電的に読み取る装置で、光源５０と、可変絞り５２と、フィルムＦに入射する読取光をフィルムＦの面方向で均一にする拡散ボックス５４と、結像レンズユニット５６と、Ｒ（赤）、Ｇ（緑）およびＢ（青）の各画像読取に対応するラインＣＣＤセンサを有するイメージセンサ５８と、アンプ（増幅器）６０と、Ａ／Ｄ（アナログ／デジタル）変換器６２とを有して構成される。
【００２３】
また、フォトプリンタ２０においては、新写真システムや１３５サイズ等のフィルムの種類やサイズ等に対応して、スキャナ４０の本体に装着自在な専用のキャリアが用意されている。フィルムＦに撮影され、プリント作成に供される画像（コマ）は、このキャリアによって所定の読取位置に搬送される。
図示例において、キャリア６４は、前述のＩＣメモリ１４を有するカートリッジ１２に対応するものである。
【００２４】
このようなスキャナ４０において、フィルムＦに撮影された画像を読み取る際には、光源５０から射出され、可変絞り５２によって光量調整された読取光が、キャリア６４によって所定の読取位置に位置されたフィルムＦに入射して、透過することにより、フィルムＦに撮影された画像を担持する投影光を得る。
【００２５】
図３（Ａ）に示されるように、キャリア６４は、所定の読取位置にフィルムＦを位置しつつ、イメージセンサ５８のラインＣＣＤセンサの延在方向（主走査方向）と直交する方向に、フィルムＦを搬送する搬送ローラ対６４ａおよび６４ｂと、フィルムＦの投影光をスリット状に規制する、読取位置に対応して位置する主走査方向に延在するスリット６６ａを有するマスク６６とを有する。
フィルムＦは、このキャリア６４によって読取位置に位置されて副走査方向に搬送されつつ、読取光を入射される。これにより、結果的にフィルムＦが主走査方向に延在するスリット６６ａによって２次元的にスリット走査され、フィルムＦに撮影された各コマの画像が読み取られる。
【００２６】
また、前述のように、キャリア６４は、カートリッジ１２に対応するものであり、カートリッジ１２のＩＣメモリ１４に記録された情報を読み取り、また、必要な情報を記録する記録読取手段（図示省略）が配置される。
カートリッジ１２がキャリア６４の所定位置に装填されると、記録読取手段がＩＣメモリ１４から情報を読み出し、必要な情報を画像処理装置４２やプリンタ４４等の所定部位に送り、また、ＩＣメモリ１４に必要な情報を記録する。
【００２７】
前述のように、読取光はキャリア６４に保持されたフィルムＦを透過して画像を担持する投影光となり、結像レンズユニット５６によってイメージセンサ５８の受光面に結像される。
図３（Ｂ）に示されるように、イメージセンサ５８は、Ｒ画像を読み取るラインＣＣＤセンサ５８Ｒ、Ｇ画像を読み取るラインＣＣＤセンサ５８Ｇ、およびＢ画像を読み取るラインＣＣＤセンサ５８Ｂを有する、３ラインのカラーＣＣＤセンサである。フィルムＦの投影光は、このイメージセンサ５８によって、Ｒ、ＧおよびＢの３原色に分解されて光電的に読み取られる。
イメージセンサ５８の出力信号は、アンプ６０で増幅され、Ａ／Ｄ変換器６２でデジタル信号とされて、画像処理装置４２に送られる。
【００２８】
画像処理装置４２は、スキャナ４０によって読み取られた画像データに、シェーディング補正等のスキャナ４０の特性に応じた補正を行なった後に、デジタルの画像（濃度）データに変換し、色／濃度調整や階調調整等の所定の画像処理を施した後に、プリンタ４４による画像記録やディスプレイ４８による画像の表示に対応する、出力用の画像データとするものである。
【００２９】
ここで、プリントを作成するコマが、前述の撮影場所の付加情報をプリント表面に記録する指示を受けている（すなわち、カートリッジ１２のＩＣメモリ１４に記録されている）コマである場合には、キャリア６４の記録読取装置から処理装置４２にその指示が送られ、この処理装置４２において、顧客の指示に応じた付加情報が、プリントされる画像に合成あるいは組み込まれる。
なお、画像の合成や組み込み方法には限定はなく、オーバーレイメモリを用いる方法や、付加情報の画像データをプリントの画像データに合成する方法等、公知の手段によればよい。
【００３０】
プリンタ４４は、供給された画像データに応じて感光材料（印画紙）を露光して潜像を記録するプリンタ（焼付装置）と、露光済の感光材料に所定の処理を施してプリントＰとして出力するプロセサ（現像装置）とを有して構成される。
【００３１】
プリンタ４４では、例えば、感光材料をプリントに応じた所定長に切断した後に、ドットインパクトプリンタやインクリボンプリンタ等のバックプリント手段によってバックプリント（裏印字）を記録する。次いで、感光材料の分光感度特性に応じたＲ露光、Ｇ露光およびＢ露光の３種の光ビームを処理装置４２から出力された画像データに応じて変調して主走査方向に偏向すると共に、主走査方向と直交する副走査方向に感光材料を搬送することにより、前記光ビームで感光材料を２次元的に走査露光して潜像を記録し、プロセサに供給する。
【００３２】
ここで、プリントを作成するコマが、前述の顧客の訪問先に応じた付加情報をプリント裏面に記録する指示を受けているコマである場合には、キャリア６４の記録読取装置からプリンタ４４のバックプリント手段にその指示が送られ、コマ番号等の、通常にバックプリントとして記録される事項に加え、顧客の指示に応じた付加情報もバックプリントとして記録される。
【００３３】
感光材料を受け取ったプロセサは、発色現像、漂白定着、水洗等の所定の湿式現像処理を行ない、乾燥してプリントＰとし、フィルム１本分等の所定単位に仕分して集積する。
前述のように、このプリントＰは、顧客の好みに応じて、付加情報として撮影場所の情報が記録されており、娯楽性や趣味性の高い、付加価値の高いプリントである。
【００３４】
以上の態様では、付加情報として撮影場所に関する情報をカートリッジ１２のＩＣメモリ１４に記録していたが、本発明はこれに限定はされず、各種の付加情報をＩＣメモリ１４に記録することができる。
【００３５】
好適な一例として、撮影対象（被写体）の情報が例示される。
この態様においては、カートリッジ１２のフィルムＦへの撮影に先立ち、プリント業者１６が撮影対象すなわち何を撮影するのか（被写体）を顧客に聞き、顧客の希望に応じて、被写体に応じた各種の情報をデータベース１９から読み出し、記録読取手段１８を用いて、カートリッジ１２のＩＣメモリ１４に被写体の情報を付加情報として記録する。
【００３６】
被写体としては、花、動物、昆虫、建造物等が例示される。
また、被写体に応じた情報としては、被写体の名前や特徴等の被写体の説明データ、被写体の画像特徴量データ、被写体の画像データ等の１以上が例示される。好ましくは、これらに加えて、パターンマッチング等の被写体認識用プログラムもＩＣメモリ１４に記録する。
【００３７】
先の態様と同様に、顧客は付加情報として被写体の情報がＩＣメモリ１４に記録されたカートリッジ１２をカメラ２２に装填する。
ここで、本態様においては、本発明のカメラ２２はＣＣＤセンサ等のイメージセンサを有するのが好ましい。
【００３８】
顧客がカメラ２２を被写体に向けると、カメラ２２のイメージセンサが被写体を読み取る共に、記録読取手段２４がＩＣメモリ１４から情報を読み出し、被写体の画像データから、読み出した画像特徴量や画像データ等を用いて被写体を認識し、その情報や画像を表示手段２６に表示し、および／または、再生手段２８によって音声として再生する。
この際においては、被写体の認識は、被写体認識用プログラムを用いてもよく、あるいは、画像特徴量同士のマッチング等で行なってもよい。また、表示手段２６上で被写体認識の領域を設定できるようにして、認識精度を向上するのも好ましい。
【００３９】
また、顧客が撮影を行なった場合には、カメラ２２の記録読取手段２４は、そのコマ（画像）と被写体の情報とをリンクさせる情報を、カートリッジ１２のＩＣメモリ１４に記録する。さらに、必要に応じて、顧客は、被写体の情報をプリントＰに記録する旨の指示、あるいはさらにプリントＰにおける記録位置等を入力手段２５によって入力し、ＩＣメモリ１４に記録させる。
【００４０】
すなわち、本態様によれば、顧客は、見知らぬ被写体、例えば、旅先で見知らぬ花を撮影する際に、花の名前や特徴を確認した上で撮影を行なうことができ、さらに、好みに応じて、プリントＰに花の名前等を記録する事もできる。
従って、本態様によれば、百科事典的な情報を楽しみながら撮影を行なうことができ、カメラ２２の娯楽性を向上し、さらに、被写体の名前等の情報を記録した、娯楽性および付加価値の高いプリントＰを作成することができる。
【００４１】
また、カートリッジ１２のＩＣメモリ１４に記録する付加情報としては、各種の娯楽情報も好適である。
本態様においては、顧客のプリント作成の通算依頼回数等に応じたサービスとしての娯楽情報、例えば、音楽、絵画、写真、新作映画等のエンターテイメント情報、コマーシャル情報、ゲームのプログラム等のサービス用データを用意して、データベース１９に記録しておき、顧客の好みに応じて、前記通算依頼回数に応じたサービス用データを記録読取手段１８によってＩＣメモリ１４に記録して、カートリッジ１２を顧客に渡す。
【００４２】
顧客がカートリッジ１２をカメラ２２に装填すると、表示手段２６にＩＣメモリ１４に記録されたサービスデータが表示され、あるいは、再生手段２８によってサービスデータが音声として再生され、あるいは、表示手段２６や再生手段２８を用いたゲームが実行可能な状態となる。
【００４３】
また、カメラ２２によるＩＣメモリ１４への記録を利用して、次回のカートリッジ１２提供時に、ＩＣメモリ１４に記録した情報を反映してもよい。
例えば、提供したゲームの進行状況を記録しておき、次回は、そのゲームの続きをＩＣメモリ１４に記録してもよい。また、提供したコマーシャル情報に応じた購入依頼を記録しておき、次回に商品を提供してもよい。
【００４４】
本態様によれば、顧客は、プリント作成の依頼回数に応じて、より高いサービスを受けることができるので、プリント作成依頼の増加やカートリッジ１２の販売促進を図ることができる。
また、旅先等で空いた時間を、カメラ２２で埋めることもでき、カメラ２２の用途を拡大し、また娯楽性を大幅に向上できる。
【００４５】
また、カートリッジ１２のＩＣメモリ１４に記録する付加情報としては、顧客が過去に撮影したシーンも好適に例示される。
この態様においても、カートリッジ１２のフィルムＦへの撮影に先立ち、顧客の希望に応じて、プリント業者１６が、その顧客が過去に撮影したシーンの情報をデータベース１９から読み出し、記録読取手段１８を用いて、カートリッジ１２のＩＣメモリ１４に付加情報として記録する。
【００４６】
なお、シーンの情報としては、撮影した画像そのもの、撮影した画像の縮小画像、撮影シーンの分類（人物、花、風景、顧客による分類番号等）、シーンに関連するコメント、撮影時のカメラの情報等が例示される。
【００４７】
先の態様と同様に、顧客は付加情報として過去の撮影情報がＩＣメモリ１４に記録されたカートリッジ１２をカメラ２２に装填し、必要に応じて、撮影時に、記録読取手段２４によってＩＣメモリ１４に記録した過去の撮影情報を読み出し、表示手段２６に表示し、あるいは、再生手段２８で音声として再生する。
すなわち、本態様によれば、顧客は、過去に撮影したシーン（画像）を確認しながら撮影を行なうことができるので、同じシーンや類似するシーンの再撮影の防止、撮影もれの回避等を図ることができる。また、過去に撮影を失敗した場合には、その画像を参照して撮影を行なうことも可能である。
【００４８】
また、好みに応じて、過去に撮影した画像と、新たに撮影した画像を合成して表示手段２６に表示し、また、プリントＰとして出力してもよい。
【００４９】
本発明のプリントシステムにおいては、例えば、本発明のカメラを用いることにより、上述した各種の情報以外にも、付加情報として、各種の外部情報を、カートリッジ１２のＩＣメモリ１４に記録して、付加情報を表示手段２６等で表示し、あるいは、プリンタ２０でプリントする事も可能である。
【００５０】
例えば、遊園地やテーマパークにおいて、キャラクタやアトラクションに関連する情報を電波や赤外線で流している場合、これをカメラ２２で受信して、カメラ２２の記録読取手段２４によってカートリッジ１２のＩＣメモリ１４に記録し、表示手段２６での表示や再生手段２８での再生を行い、また、プリンタ２０によってプリントＰに記録してもよい。
また、前述のＧＰＳ機能を有するカメラであれば、移動経路をＩＣメモリ１４に記録しておき、プリント業者１６において地図と合成し、移動経路を表示したプリントを作成してもよい。
【００５１】
これ以外にも、ファックス信号を受信し、ＩＣメモリ１４に記録して、プリントＰとして出力してもよい。また、デジタルカメラ、テレビ、ビデオの特定シーンやパーソナルコンピュータの画像データ、パーソナルコンピュータ、ワードプロセッサ、ＰＤＡ（携帯情報端末）の文書や画像データをＩＣメモリ１４に記録して、プリントＰとして出力してもよい。さらに、音声データをカメラ２２で受信して、同様にプリントＰとして出力してもよい。
【００５２】
すなわち、本発明によれば、通常のプリント作成に加えて、撮影画像以外の各種の情報をプリントＰとして出力することができ、カメラ２２や写真の用途を大幅に拡大することができる。
なお、この態様においては、これらの情報を撮影画像と合成してもよいのは、もちろんである。さらに、情報の種類等に応じて、付加情報にヘッダを付けてもよい。
【００５３】
以上の例は、本発明のプリントシステムを、ＩＣメモリ１４を有する（フィルム）カートリッジ１２を用いる写真プリントの作成に利用し、本発明のプリント方法を実施したものであるが、本発明のプリント方法およびプリントシステムは、これ以外にも、デジタルカメラやデジタルビデオカメラ等のカメラ（撮像デバイス）を用いて撮影した画像のプリントにも、好適に利用可能である。
【００５４】
この例においては、デジタルカメラ等の撮像デバイスで撮影した画像の画像データを記録する記憶媒体を、画像データの記憶領域と付加情報の記憶領域とに分け、この付加情報の記憶領域を、前記ＩＣメモリ１４と同様に使用する。
なお、記憶媒体における画像データの記憶領域と付加情報の記憶領域は、デジタルカメラ等の撮像デバイスやプリント業者１６の記録読取手段１８によって各領域のアドレスを認識する情報を付加してもよく、あるいは各領域のアドレスを認識する情報を固定的に有するものであってもよい。
【００５５】
なお、記憶媒体には特に限定はなく、フロッピーディスク、ＺｉｐやＪａｚなどのリムーバブルハードディスク等の磁気記録媒体、ＭＤ（ミニディスク）やＭＯ等の光磁気記録媒体、ＩＣカードやスマートメディア等のカードメモリ等、公知のものが各種利用可能である。
【００５６】
以上、本発明のプリント方法およびプリントシステムならびにカメラについて詳細に説明したが、本発明は上記実施例に限定はされず、本発明の要旨を逸脱しない範囲において、各種の改良および変更を行ってもよいのはもちろんである。
【００５７】
【発明の効果】
以上、詳細に説明したように、本発明によれば、カメラの趣味性や娯楽性、利用用途を拡大できると共に、各種の情報が付加された、趣味性や娯楽性、付加価値の高い高品位なプリントを作成することができ、プリントの用途も大きく拡大することができる。
【図面の簡単な説明】
【図１】本発明のプリントシステムの概念を示すブロック図である。
【図２】図１に示されるプリントシステムに利用されるるデジタルフォトプリンタのブロック図である。
【図３】（Ａ）は、図１に示されるデジタルフォトプリンタに装着されるキャリアを説明するための概略斜視図、（Ｂ）は図１に示されるデジタルフォトプリンタのイメージセンサの概念図である。
【符号の説明】
１０  プリントシステム
１２  （フィルム）カートリッジ
１４  ＩＣメモリ
１６  プリント業者
１８，２４  記録読取手段
１９  データベース
２０  フォトプリンタ
２２  カメラ
２５  入力手段
２６  表示手段
２８  再生手段
４０  スキャナ
４２  （画像）処理装置
４４  プリンタ
４６  操作系
４８  ディスプレイ
５０  光源
５２  可変絞り
５４  拡散ボックス
５６  結像レンズユニット
５８  イメージセンサ
６０  アンプ
６２  Ａ／Ｄ変換器
６４  キャリア
【図１】
0003545616.tif 000002
【図２】
0003545616.tif 000003
【図３】
0003545616.tif 000004